(57)【要約】【課題】蛇篭の背後に埋め戻される背面土との接触面積を増大させ、その土留機能をより有効に活用される蛇篭及びその蛇篭で構築された蛇篭構造体を提供する。【解決手段】矩形の底面網３と、矩形の前面網４及び後面網５と、矩形の右側面網６及び左側面網７とで角形に形成された篭本体２と、該篭本体２の背後から後方に延びる矩形の延長網１１とを有し、上記延長網１１は、後面網５の下端部に水平状態と垂直状態との間で起倒自在に連結され、また、該延長網１１の奥行寸法は、上記後面網５の高さ寸法と同等以下に形成されている【選択図】図２
2016084608.tif 000002
【特許請求の範囲】
【請求項１】
矩形の底面網と、矩形の前面網及び後面網と、矩形の右側面網及び左側面網とで角形に形成された篭本体と、該篭本体の背後から後方に延びる矩形の延長網とを有し、
上記延長網は、後面網の下端部に水平状態と垂直状態との間で起倒自在に連結され、また、該延長網の奥行寸法は、上記後面網の高さ寸法と同等以下に形成されている、
ことを特徴とする蛇篭。
【請求項２】
請求項１に記載の蛇篭で構築された蛇篭構造体であって、篭本体内部に石材が充填された複数の蛇篭を上下に段積させて成り、また、各蛇篭における延長網上に土砂が埋め戻され、上段の蛇篭が、下段の蛇篭及び該下段の蛇篭の延出網上に埋め戻された背面土上に設置されている、
ことを特徴とする蛇篭構造体。
【発明の詳細な説明】
【技術分野】
【０００１】
本発明は、山や谷、道路、住宅地、海岸等の傾斜地の保護等のために設置される蛇篭及びその蛇篭で構築された蛇篭構造体に関するものである。
【背景技術】
【０００２】
従来から、山や谷、道路、住宅地、海岸等の傾斜地の傾斜地の法面に補強壁を構築したりする場合に、蛇篭が使用されることは既に知られている（特許文献１参照）。この種の蛇篭は、一般的に、底面網と、前面網及び後面網と、左右の側面網とで角形に形成された篭本体を有しており、当該蛇篭を法面に設置する際には、図４に示すように、篭本体内部に石材を充填させた蛇篭３０を、法面４０に沿って階段状に複数段段積して並べることで、補強壁等の擁壁が構築される。
【０００３】
ところで、蛇篭３０による補強壁を構築する場合、一旦、法面４０の地盤を傾斜面状に切削し、一段分の蛇篭３０を設置する毎に、各蛇篭３０の背後に法面４０の廃土を埋め戻す作業が行われるが、従来の蛇篭３０は背面土４１に接触する部分が後面網のみであり、該背面土４１との接触面積が小さいことから、蛇篭３０による土留機能が十分有効に活用されているものとは言い難かった。
【先行技術文献】
【特許文献】
【０００４】
【特許文献１】特開２００９−３０２４０号公報
【発明の概要】
【発明が解決しようとする課題】
【０００５】
そこで、本発明の技術的課題は、蛇篭の背後に埋め戻される背面土との接触面積を増大させ、土留機能をより有効に活用される蛇篭及びその蛇篭で構築された蛇篭構造体を提供することにある。
【課題を解決するための手段】
【０００６】
上記目的を達成するため、本発明によれば、矩形の底面網と、矩形の前面網及び後面網と、矩形の右側面網及び左側面網とで角形に形成された篭本体と、該篭本体の背後から後方に延びる矩形の延長網とを有し、上記延長網は、後面網の下端部に水平状態と垂直状態との間で起倒自在に連結され、また、該延長網の奥行寸法は、上記後面網の高さ寸法と同等以下に形成されていることを特徴とする蛇篭が提供される。
【０００７】
また、本発明によれば、上記蛇篭で構築された蛇篭構造体であって、篭本体内部に石材が充填された複数の蛇篭を上下に段積させて成り、また、各蛇篭における延長網上に土砂が埋め戻され、上段の蛇篭が、下段の蛇篭及び該下段の蛇篭の延出網上に埋め戻された背面土上に設置されていることを特徴とする蛇篭構造体が提供される。
【発明の効果】
【０００８】
本発明によれば、篭本体の背後から後方に延びる矩形の延長網を有することにより、延長網上に法面切削時の廃土を埋め戻した場合に、延長網の面積分、背面土の土圧を受ける接触面積が増大するので、蛇篭による土留機能をより向上させることができる。
【図面の簡単な説明】
【０００９】
【図１】本発明に係る蛇篭の一実施形態を前方側からみた状態を示す概略斜視図である。
【図２】図１の蛇篭を後方側からみた状態を示す概略斜視図である。
【図３】上記蛇篭で構築した蛇篭構造体を示す概略断面図である。
【図４】従来の蛇篭を法面の傾斜地に施工する途中の状態を示す概略断面図である。
【発明を実施するための形態】
【００１０】
以下に、本発明に係る蛇篭及び当該蛇篭で構築した蛇篭構造体の実施形態について、図面を用いて詳細に説明する。
本発明の蛇篭１は、菱形金網で形成された篭本体２の内部に石材を詰めた状態で、図２のように法面４０等の傾斜地に設置されるものである。
【００１１】
図１及び図２に示すように、上記篭本体２は、矩形の底面網３と、矩形の前面網４及び後面網５と、矩形の右側面網６及び左側面網７とで角形に形成されている。篭本体２は、底面網３と、一対の前面網４及び後面網５と、一対の右側面網６及び左側面網７とがそれぞれ個別に形成され、各面網３−７の外周に取り付けられた枠線同士を適宜構造の連結具８で連結することで構成されている。各面網３−７を個別に形成するのではなく、例えば、底面網３と一対の前面網４および後面網５とを一枚の菱形金網を折り曲げることで形成し、左右の側面網を個別に形成してそれらを相互に連結することもできる。篭本体２の上面には、必要に応じて、菱形金網で形成された矩形の上面網９が取付けられる。なお、図１及び図２の例では、前面網４は、菱形金網の網目の大きさが他の面網の網目より小さく形成されている。また、上記連結具８として、針金を螺旋状に曲げたスクリューストッパが用いられている。
【００１２】
また、右側面網６及び左側面網７は、それらの枠線の下辺と前辺との成す角度（底面網３と前面網４とが成す角度）が鋭角に形成されているのに対し、該側面網６，７における枠線の下辺と後辺とが成す角（底面網３と後面網５とが成す角度）は直角に形成されている。つまり、これら右側面網６及び左側面網７は、その平面視が、下辺を上辺よりも長くした台形状を成すように形成されていて、前面網４は後面網５側に傾く傾斜面状を成し、また、後面網５は底面網３から垂直に立設するように取り付けられている。底面網３と前面網４とが成す角度は、設置する法面４０の傾斜勾配に合わせて形成されている。なお、図１及び図２中の符号１０は、各面網の中央部に張設させた補強用の補強線である。
【００１３】
図１及び図２に示すように、本実施形態の蛇篭１は、上記篭本体２の背後から後方に延びる矩形の延長網１１を有している。この延長網１１は、相対する２つの長辺と相対する２つの短辺とを有する長方形状に形成されている。また、延長網１１は、菱形金網により上記篭本体２を構成する各面網３−７とは独立する部材として形成され、上記後面網５の下端部に起倒自在に連結され、水平状態と垂直状態との間で変位可能に成っている。
【００１４】
具体的に、延長網１１は、該延長網１１の外周を囲む枠線のうち、２つの相対する長辺の一方の辺が、後面網５の枠線の下辺に沿うように配置されると共に、これら枠線同士を上述したスクリューストッパ等の連結具８で相互に連結されることにより、この連結部分を回動支点として、底面網３に対して水平に配される位置と、後面網５に沿って垂直状態に成る位置との間で変位可能に成っている（図２の矢印参照）。なお、延長網１１と篭本体２とを連結する連結具８は、篭本体２を構成する連結具と共有であっても、或いは別であってもよい。
【００１５】
図３のように、上記延長網１１は、その奥行寸法（短辺寸法）が後面網５の高さ寸法と同等以下に形成されている。本実施形態では、該延長網１１の奥行寸法は後面網５の高さ寸法と等しく形成され、また、延長網１１の横幅寸法（長辺寸法）は上記後面網５の横幅寸法と等しく形成されており、実質的に、該延長網１１と後面網５とは同一寸法に形成されている。この延長網１１にも横幅方向の中央位置に上記補強線１０が張設されている。
【００１６】
延長網１１が後面網５の下端部に起倒自在に連結されていることにより、例えば、パワーショベル等の重機を用いた石詰め作業において、蛇篭を囲繞支持してその変形を防止する保護具（篭セッター）を使用する場合、延長網１１を起こして後面網５に沿って垂直状態とすることによって、保護具内への蛇篭１の収納の妨げとならないように成っている。また、延長網１１の奥行寸法を後面網５の高さ寸法と同等以下に形成されていることで、延長網１１を起こして蛇篭１を保護具に収納するときに、該保護具の枠から突出しないように構成されている。
【００１７】
次に、図３に基づいて、上記蛇篭１で構築された蛇篭構造体２０について説明する。この蛇篭構造体２０は、篭本体２の内部に石材が収容された蛇篭１が法面４０の傾斜勾配に沿って上下に複数段段積されることで構築される。なお、図３では、４つの蛇篭が段積されているが、法面４０の路肩部分の高さに合わせて適宜数設置されるものとする。
【００１８】
段積された蛇篭のうち、最下段に設置される蛇篭１ａは、後面網５ａ側を法面４０に臨む向きに配置され、上記延長網１１ａが底面網３ａよりも後方の地面に配置されている。また、延長網１１ａの枠線の相対する２つの長辺のうち他方側（連結部分の反対側の長辺）が、傾斜状に切削した法面４０に近接している。
【００１９】
法面４０切削時の廃土は蛇篭１ａの背後に埋め戻されているが、上記蛇篭１ａの背後には上記延長網１１ａが配置されているので、該延長網１１ａ上に廃土が堆積されている。蛇篭１ａの背後の背面土４１ａは、第２段目の蛇篭１ｂを段積させた状態で、該背面土４１ａの上面が蛇篭１ａの高さ寸法（後面網７ａの高さ寸法）に揃うように成っている。
【００２０】
第２段目の蛇篭１ｂは、最下段の蛇篭１ａ及び該蛇篭１ａの延長網１１ａ上に埋め戻された背面土４１ａ上に位置するように設置される。このとき第２段目の蛇篭１ｂは、前面網４ｂの傾斜する面が、下段の蛇篭１の前面網４ａの傾斜する面に連なるように配置され、全体として段の無い面一な斜面になるように設置されている。また、延長網１１ｂは、下段の蛇篭１ａの背後に堆積された背面土４１ａ上に配置されると共に、枠線の長辺の他方側が法面４０に近接するように配設され、該延長網１１ｂ上に廃土が埋め戻されている。第３段目以降の蛇篭についても、同様の方法で適宜数段積されることで蛇篭構造体２０が得られる。
【００２１】
このように、本発明の蛇篭１で構築された蛇篭構造体２０によれば、各蛇篭１における篭本体２の背後に上記延長網１１を設けていることにより、法面４０と各蛇篭１との間に該延長網１１の面積分、背面土４１による土圧を受ける接触面積が増大されるので、その土留機能がより有効に活用される。
【００２２】
なお、図３のように、複数の蛇篭１を上下に段積させて設置する場合、下段の蛇篭の上面は上段の蛇篭の底面網３によって覆われるため、下段の蛇篭には上面網９を取り付ける必要がなく、上下段の蛇篭の重なり合う面が共通の面網によって一面化される。上面網９は最上段の蛇篭だけに取り付ければよい。しかし、全ての蛇篭に上面網９を取り付けてもよい。
【００２３】
また、本実施形態では、上記蛇篭は、前面網４が後面網５側に傾くように形成され、これら蛇篭を段積させた蛇篭構造体２０の前面は法面４０と平行な傾斜面を成すように構成されているが、該蛇篭の前面網４を、後面網５と同じく底面網３から垂直に立設するように形成されていてもよい。この場合、上記蛇篭構造体２０は、その前面が全体として階段状を成すように構成される。
また、図１及び図２の例では、上記前面網４が、その網目を他の面網の網目よりも小さく形成されているが、同じ大きさの網目で形成されていてもよい。
【００２４】
以上、本発明に係る蛇篭及び蛇篭構造体について説明してきたが、本発明は上記の実施形態に限定されることなく、特許請求の範囲の趣旨を逸脱しない範囲で様々な設計変更が可能であることは言うまでもない。
【符号の説明】
【００２５】
１      蛇篭
２      篭本体
３      底面網
４      前面網
５      後面網
６      右側面網
７      左側面網
１１      延長網
２０      蛇篭構造体
【図１】
2016084608.tif 000003
【図２】
2016084608.tif 000004
【図３】
2016084608.tif 000005
【図４】
2016084608.tif 000006